(57)【要約】【課題】ＬＥＤが実装された一種類の配線基板だけで種々の形状、大きさの道路標識の光源として使用し得る配線基板を提供し、夜間、遠くからでも視認できる内照式道路標識を低コストで提供できるようにする。【解決手段】表面に透光性表示板１２が設けられた筐体状の道路標識本体１０の内部に取付基板１６を設け、各角部寄りにＬＥＤ２が実装された複数枚の直角二等辺三角形状の配線基板１を向きを変えつつ取付基板１６上に適宜間隔で貼着する。【選択図】図３
0003177439.tif 000002
【実用新案登録請求の範囲】
【請求項１】
直角二等辺三角形状に形成された配線基板の少なくとも各角部寄りにＬＥＤを実装したことを特徴とするＬＥＤ内照式道路標識用配線基板。
【請求項２】
表面に透光性表示板が設けられた円形、三角形、四角形、長方形、五角形等の筐体状の道路標識本体の内部に該透光性表示板の裏面と相対するように熱伝導性の高い取付基板を設け、該取付基板上に複数枚の請求項１に記載した配線基板を向きを変えつつ適宜間隔で貼着することにより、該透光性表示板が該各配線基板に実装されたＬＥＤにより略々均一に照らされるようにしたことを特徴とするＬＥＤ内照式道路標識。
【考案の詳細な説明】
【技術分野】
【０００１】
本考案はＬＥＤを光源とする内照式道路標識に関する。
【背景技術】
【０００２】
夜間でも遠くから視認できる内照式道路標識は、従来から光源として蛍光灯が用いられていた。しかし、近時では、消費電力が少なく寿命が長いＬＥＤ（発光ダイオード）が用いられるようになってきている。
【０００３】
下記特許文献１および２には、筐形状の道路標識本体における筒状の周壁部の内面に光束が内向きとなるように多数のＬＥＤを設け、透光性表示板を内側から照らす構造の内照式道路標識が示されている。
【先行技術文献】
【特許文献】
【０００４】
【特許文献１】特開２００６−３０７６１１号公報
【特許文献２】特開２０１１−２２６２４７号公報
【考案の開示】
【考案が解決しようとする課題】
【０００５】
しかし、特許文献１および２に示されたようにＬＥＤを周壁部の内面に設けた構造では、そのＬＥＤの光が透光性表示板の裏面に直接当たらないために効率が悪く、表示板全体が暗くなりがちであるという問題がある。
【０００６】
一方、ＬＥＤを実装した配線基板を透光性表示板の裏面と相対するように配置し、ＬＥＤの光が透光性表示板に直接当たるようにすることは容易であるが、道路標識には進入禁止や制限速度を表示する円形状のもの、或いは、車線、区画を表示する正方形や長方形のもの、一時停止を表示する三角形状のもの、横断歩道を表示する五角形のものなど、多種類あるとともに、大きさも様々であるので、ＬＥＤの光が透光性表示板に均一に当たるようにするためには、これら道路標識の形状および大きさに合わせて配線基板の形状を変えたり、或いは寸法をカットする必要があった。言い換えれば、道路標識の形状に合わせていちいち様々な形状、大きさの配線基板を作らなければならなかったので、製造コストが高くなるという問題があった。
【０００７】
そこで、本考案は、一種類の配線基板だけで種々の形状、大きさの道路標識の光源として使用し得る内照式道路標識用配線基板を提供するとともに、夜間、遠くからでも視認できる見易い道路標識を低コストで提供できるようにするものである。
【課題を解決するための手段】
【０００８】
上記課題を解決するため請求項１に係るＬＥＤ内照式道路標識用配線基板は、直角二等辺三角形状に形成された配線基板の少なくとも各角部寄りにＬＥＤを実装したことを特徴とする。
【０００９】
また、請求項２に係るＬＥＤ内照式道路標識は、表面に透光性表示板が設けられた円形、三角形、四角形、長方形、五角形等の筐体状の道路標識本体の内部に該透光性表示板の裏面と相対するように熱伝導性の高い取付基板を設け、該取付基板上に複数枚の請求項１に記載した配線基板を向きを変えつつ適宜間隔で貼着することにより、該透光性表示板が該各配線基板に実装されたＬＥＤにより略々均一に照らされるようにしたことを特徴とする。
【考案の効果】
【００１０】
直角二等辺三角形状の配線基板を取付基板は、取付基板上に向きを変えつつ適宜間隔で貼着することにより、円形、三角形、四角形、長方形、五角形等の種々の形状の道路標識本体内にＬＥＤを容易く略々均一に配設することができる。このため、道路標識の形状に合わせていちいち配線基板を設計・製作しなくてもよくなり、製造コストが軽減される。
【考案を実施するための最良の形態】
【００１１】
図１に本考案に係るプリント配線基板１を示す。該配線基板１は底辺ａが３００ｍｍの直角二等辺三角形状に形成され、該配線基板１の各角部寄りにそれぞれＬＥＤ２が実装される。３は該配線基板１の各辺の中央部に実装された電源コネクタ、４は該各電源コネクタに必要に応じて嵌着される電源コード、５は取付用のビスを貫通させるための丸孔である。なお、該配線基板１は光を反射し易くするために表面を白色としている。また、ＬＥＤ２、電源コネクタ３のリード線等の導電性部分は腐蝕を防ぐために樹脂コーティングされる。
【実施例１】
【００１２】
図２は横断歩道を表示するために使用される正面視が五角形の筐体状の内照式道路標識本体を示す。この道路標識本体１０は、胴部１１が五角形枠状に形成され、該胴部１１の両側にアクリル樹脂からなる透光性表示板１２が底辺に設けられた蝶番１３にて開閉可能に設けられているとともに、パチン錠１４にて該表示板１２を閉塞し得るようにしている。なお、該表示板１２に横断中の歩行者を表す図形が表示されている。１５は該道路標識本体１０を道路脇に立てた支柱に支持するための連結腕取付部である。
【００１３】
図３の断面図および図４の内部正面図に示したように、道路標識本体１０の内部であって該透光性表示板１２の裏面と相対するように厚さ１ｍｍ程度のアルミニウム板からなる取付基板１６が取付金具１７によって固設される。そして、該取付基板１６上に複数枚の前記配線基板１をその直角部が上向き、下向き、左向き、右向き等に向きを変えつつ、丸孔５にビス１８を貫通して該取付基板１６に貼着固定する。これにより、該各配線基板１に設けられたＬＥＤ２が適宜間隔に配置されるようにする。そして、電源ユニット１９から該各配線基板１の電源コネクタ３に電源コード４を配線し通電することにより、透光性表示板１２が多数のＬＥＤ２により略々均一に照らされるようにする。なお、この実施例で示した道路標識本体１０は、取付基板１６の両面に配線基板１を貼着固定することにより、両側の透光性表示板１２がＬＥＤ２により内照される。
【００１４】
このように配線基板１を直角二等辺三角形状に形成したことにより、該配線基板１の取付基板１６上への配置を工夫するだけで、種々の形状、大きさの透光性表示板１２を内側から略々均一に照らすことができる。このため、透光性表示板１２全体が均一に輝き、夜間に遠くからでも道路標識を明瞭に視認できるようになる。
【００１５】
また、この道路標識本体１０では、配線基板１を取付基板１６にビス１８等により密着させることにより配線基板１から生じる熱が該取付基板１６に伝導させることができ、該配線基板１の放熱が促進され、高温によって該配線基板１上のＬＥＤ２が損傷するのを防ぐことができる。
【００１６】
２０は歩行者を照らすために道路標識本体１０の底部に設けられたダウンライトで、該ダウンライトはそれぞれハロゲンランプが入った３つのランプボックス２１からなり、該各ランプボックスは道路標識本体１０の底部に形成された円弧状の長孔にビス止めされている。このためこのビスを緩めることにより該各ランプボックスは矢印の方向に可変し、該ランプボックスから放出される下向の光の角度を微調節できるようにしている。なお、該各ランプボックス２１は、設置現場の状況に合わせてこのように矢印の方向に角度を設定変更し得るように構成されているほか、紙面と直交する方向にも角度を可変し得るように構成され、歩行者を照らし出すことができるようにしている。
【実施例２】
【００１７】
図５は、制限速度を表示するために設置される正面視で直径９００ｍｍの円形の道路標識本体を示す。該道路標識本体３０では、図６に示したように実施例１と同様に取付金具１７によって内部に固設さた取付基板１６に本考案に係る配線基板１を例えば方向を変えつつ環状に配置貼着することにより、該配線基板１に設けられた各ＬＥＤ２により円形状の透光性表示板１２を内側から均一に照射することができ、実施例１と同様に該透光性表示板１２の夜間における視認性を向上させる。
【００１８】
また、図７は直径４０ｍｍの円形の道路標識本体の内部に設けられる円形の取付基板１６に配線基板１を配置貼着した例を示す。図８は同じく直径６０ｍｍの円形の道路標識本体の内部に設けられる円形の取付基板１６に配線基板１を配置貼着した例を示す。図９、図１０は、同じく直径１１４８ｍｍの円形の道路標識本体の内部に設けられる円形の取付基板１６に配線基板１を配置貼着した例を示す。このように、配線基板１は直角二等辺三角形状であるので、直径が異なっていてもＬＥＤ２を略々均一に配置することができる。このため種々の直径の円形の道路標識について、いちいち配線基板を設計・製作しなくてもよい。
【実施例３】
【００１９】
また、図１１は、車両の一時停止「止まれ」を表示するために設置される横幅１２００ｍｍの正面視で逆三角形の道路標識であって、その内部に設けられる略三角形の取付基板１６に配線基板１を配置貼着した例を示す。このように三角形の道路標識であっても取付基板１６に対し本考案に係る配線基板１をこの実施例のように方向をランダムに変えつつ配置貼着することにより、ＬＥＤ２を均一に配置でき、「止まれ」の表示がされた透光性表示板の全体をきれいに照射できることで、夜間の視認性を向上させることができる。また、図１２は同じく「止まれ」を表示する横幅１２００ｍｍの逆三角形の道路標識の内部に設けられる略三角形の取付基板１６に配線基板１を配置貼着した例を示す。このように、直角二等辺三角形状の配線基板１を使用することによっては、この「止まれ」の表示のような外形が三角形の道路標識であってもその大きさに拘わらず、ＬＥＤ２が略々均一に分布するように配置することができる。このため三角形の道路標識についても配線基板の設計・製作が容易になる。
【実施例４】
【００２０】
また、図１３は、縦・横９００ｍｍの正方形の道路標識本体の内部に設けられる正方形の取付基板１６に配線基板１を配置貼着した例を示し、図１４は、縦・横１１２０ｍｍの正方形の道路標識本体の内部に設けられる正方形の取付基板１６に配線基板１を配置貼着した例を示す。
【実施例５】
【００２１】
また、図１５は縦９００ｍｍ、横５２５ｍｍの長方形の道路標識本体の内部に設けられる長方形の取付基板１６に配線基板１を配置貼着した例を示し、図１６は縦１２００ｍｍ、横１８００ｍｍの長方形の道路標識本体の内部に設けられる長方形の取付基板１６に配線基板１を配置貼着した例、図１７は縦１３５００ｍｍ、横２４００ｍｍの長方形の道路標識本体の内部に設けられる長方形の取付基板１６に配線基板１を配置貼着した例を示す。
【００２２】
このように、本考案に係る配線基板は、円形、三角形、四角形、長方形、五角形等の種々の形状、種々の大きさの道路標識に対して複数のＬＥＤが略々均一に分布するように配設することができるので、該各道路標識の透光性表示板の全体を均一に隈なく照射することができ、夜間の視認性を向上させることができる。
【００２３】
なお、配線基板１に実装するＬＥＤ２の個数は、必要に応じてこの実施例に示した３個以上にすることも可能である。
【図面の簡単な説明】
【００２４】
【図１】本考案に係る配線基板の正面図。
【図２】本考案に係る内照式道路標識本体の正面図。
【図３】本考案に係る内照式道路標識本体の部分断面図。
【図４】本考案に係る内照式道路標識本体内部の正面図。
【図５】本考案に係る内照式道路標識本体の正面図。
【図６】本考案に係る内照式道路標識本体内部の正面図。
【図７】本考案に係る配線基板の配置例を示す取付基板の正面図。
【図８】本考案に係る配線基板の配置例を示す取付基板の正面図。
【図９】本考案に係る配線基板の配置例を示す取付基板の正面図。
【図１０】本考案に係る配線基板の配置例を示す取付基板の正面図。
【図１１】本考案に係る配線基板の配置例を示す取付基板の正面図。
【図１２】本考案に係る配線基板の配置例を示す取付基板の正面図。
【図１３】本考案に係る配線基板の配置例を示す取付基板の正面図。
【図１４】本考案に係る配線基板の配置例を示す取付基板の正面図。
【図１５】本考案に係る配線基板の配置例を示す取付基板の正面図。
【図１６】本考案に係る配線基板の配置例を示す取付基板の正面図。
【図１７】本考案に係る配線基板の配置例を示す取付基板の正面図。
【符号の説明】
【００２５】
１      配線基板
２      ＬＥＤ
３      電源コネクタ
４      電源コード
５      丸孔
１０    道路標識本体
１１    胴部
１２    透光性表示板
１６    取付基板
１７    取付金具
１８    ビス
【図１】
0003177439.tif 000003
【図２】
0003177439.tif 000004
【図３】
0003177439.tif 000005
【図４】
0003177439.tif 000006
【図５】
0003177439.tif 000007
【図６】
0003177439.tif 000008
【図７】
0003177439.tif 000009
【図８】
0003177439.tif 000010
【図９】
0003177439.tif 000011
【図１０】
0003177439.tif 000012
【図１１】
0003177439.tif 000013
【図１２】
0003177439.tif 000014
【図１３】
0003177439.tif 000015
【図１４】
0003177439.tif 000016
【図１５】
0003177439.tif 000017
【図１６】
0003177439.tif 000018
【図１７】
0003177439.tif 000019